(57)【要約】【課題】折り曲げ易いというヒンジ本来の機能を損ねることなく、ヒンジの破損を防止することができるプロテクタを提供すること。【解決手段】ワイヤーハーネスを収納するプロテクタ本体２と、プロテクタ本体２の開口端２ａを閉塞するカバー３と、プロテクタ本体２に対してカバー３を長さ方向の一方の端部で開閉可能に連結するとともに、薄肉部４ｃが設けられたヒンジ４とを一体成形したプロテクタであって、プロテクタ本体２に一体成形された第１の係合部５１とカバー３に一体形成された第２の係合部５２とが、カバー３の開状態で互いに係合することでヒンジ４におけるカバー側の端部４ａとプロテクタ本体側の端部４ｂとが互いに離隔する方向に変位することを規制するとともに、カバー３の閉動作に伴い互いの係合が外れる構成を有する。【選択図】図４
2014212620.tif 000002
【特許請求の範囲】
【請求項１】
ワイヤーハーネスを収納するプロテクタ本体と、前記プロテクタ本体の開口端を閉塞するカバーと、前記プロテクタ本体に対して前記カバーを前記プロテクタ本体および前記カバーの長さ方向のいずれか一方の端部で開閉可能に連結するとともに、前記カバー側の端部と前記プロテクタ本体側の端部との間に薄肉部が設けられたヒンジと、を一体成形したプロテクタであって、
前記プロテクタ本体には、前記ヒンジよりも前記長さ方向の他方の端部側の位置で前記開口端から前記ヒンジ側に突出した第１の係合部が一体成形され、
前記カバーには、前記カバーの開状態で前記第１の係合部に係合する第２の係合部が一体形成され、
前記第１の係合部および前記第２の係合部は、互いに係合することで前記ヒンジにおける前記カバー側の端部と前記プロテクタ本体側の端部とが互いに離隔する方向に変位することを規制するとともに、前記カバーの閉動作に伴い互いの係合が外れることを特徴とするプロテクタ。
【請求項２】
前記第１の係合部および前記第２の係合部のいずれか一方は、先端が円形状に形成された雄部で構成され、
前記第１の係合部および前記第２の係合部のいずれか他方は、前記雄部を取り囲むよう凹状に形成された雌部で構成され、
前記雄部と前記雌部との間には、所定のクリアランスが形成されていることを特徴とする請求項１に記載のプロテクタ。
【発明の詳細な説明】
【技術分野】
【０００１】
本発明は、ワイヤーハーネスを保護するプロテクタに関する。
【背景技術】
【０００２】
従来、ワイヤーハーネスを保護するために、ワイヤーハーネスを配索する経路（以下、単に「配索経路」と称する。）に対応した構造のプロテクタがワイヤーハーネスに外装されている。
【０００３】
従来、この種のプロテクタとして、ワイヤーハーネスを収納するプロテクタ本体と、該プロテクタ本体にヒンジを基点として揺動可能に取り付けられたカバーとを備え、プロテクタ本体にワイヤーハーネスを収納後、カバーを閉じることでプロテクタ本体の開放端を閉塞するものが知られている（例えば、特許文献１参照）。
【０００４】
このプロテクタでは、プロテクタ本体の開放端が段差を有するため、この段差に併せてカバーを屈曲可能に構成している。このため、上述のプロテクタにおいては、段差を有するプロテクタ本体に対して屈曲可能なカバーを揺動可能にするため、プロテクタ本体およびカバーの長さ方向の一方の端部側にのみヒンジを設けている。
【先行技術文献】
【特許文献】
【０００５】
【特許文献１】特開平５−２２８２６号公報
【発明の概要】
【発明が解決しようとする課題】
【０００６】
しかしながら、このような従来のプロテクタにあっては、例えばプロテクタを梱包する際や梱包から取り出す際に、長さ方向の他方の端部側においてプロテクタ本体とカバーとを互いに離隔する方向に負荷がかかると、長さ方向の一方の端部側に設けられたヒンジの中央部に応力が集中してしまう。
【０００７】
特に、ヒンジの中央部の厚み（以下、ヒンジ厚という）は、カバーを容易に折り曲げることができるように、他の部分と比べて薄い厚みに設定されている。したがって、従来のプロテクタでは、ヒンジ厚の薄い中央部に応力が集中すると、ヒンジが破損してしまうおそれがある。
【０００８】
この点、ヒンジ厚を厚くすることで応力集中による破損を防止できるが、これでは折り曲げ易いというヒンジ本来の機能を損ねてしまう。
【０００９】
本発明は、上述のような事情に鑑みてなされたもので、折り曲げ易いというヒンジ本来の機能を損ねることなく、ヒンジの破損を防止することができるプロテクタを提供することを目的とする。
【課題を解決するための手段】
【００１０】
本発明に係るプロテクタは、上記目的達成のため、ワイヤーハーネスを収納するプロテクタ本体と、前記プロテクタ本体の開口端を閉塞するカバーと、前記プロテクタ本体に対して前記カバーを前記プロテクタ本体および前記カバーの長さ方向のいずれか一方の端部で開閉可能に連結するとともに、前記カバー側の端部と前記プロテクタ本体側の端部との間に薄肉部が設けられたヒンジと、を一体成形したプロテクタであって、前記プロテクタ本体には、前記ヒンジよりも前記長さ方向の他方の端部側の位置で前記開口端から前記ヒンジ側に突出した第１の係合部が一体成形され、前記カバーには、前記カバーの開状態で前記第１の係合部に係合する第２の係合部が一体形成され、前記第１の係合部および前記第２の係合部は、互いに係合することで前記ヒンジにおける前記カバー側の端部と前記プロテクタ本体側の端部とが互いに離隔する方向に変位することを規制するとともに、前記カバーの閉動作に伴い互いの係合が外れる構成を有する。
【００１１】
この構成により、本発明に係るプロテクタは、プロテクタ本体に一体成形された第１の係合部とカバーに一体成形された第２の係合部とが互いに係合することで、ヒンジにおけるカバー側の端部とプロテクタ本体側の端部とが互いに離隔する方向に変位することが規制される。このため、カバーの開状態では、第１の係合部と第２の係合部とが係合することにより、ヒンジの薄肉部の強度を向上させることができる。
【００１２】
したがって、例えばプロテクタを梱包する際や梱包から取り出す際にプロテクタ本体とカバーとが互いに離隔する方向に負荷がかかっても、ヒンジの薄肉部に応力が集中することがなく、ヒンジの破損が防止される。
【００１３】
一方、本発明に係るプロテクタは、カバーの閉動作に伴い第１の係合部と第２の係合部との係合が外れるようになっているので、プロテクタ本体に対してカバーを折り曲げる際には折り曲げ易いというヒンジ本来の機能を発揮させることができる。
【００１４】
このように、本発明に係るプロテクタは、折り曲げ易いというヒンジ本来の機能を損ねることなく、ヒンジの破損を防止することができる。
【００１５】
また、上記構成のプロテクタにおいて、前記第１の係合部および前記第２の係合部のいずれか一方は、先端が円形状に形成された雄部で構成され、前記第１の係合部および前記第２の係合部のいずれか他方は、前記雄部を取り囲むよう凹状に形成された雌部で構成され、前記雄部と前記雌部との間には、所定のクリアランスが形成されていることが好ましい。
【００１６】
この構成により、本発明に係るプロテクタは、カバーの開状態では雄部と雌部とを係合させることができる一方で、カバーの閉動作に伴い雄部と雌部との係合を解除することができる。
【発明の効果】
【００１７】
本発明によれば、折り曲げ易いというヒンジ本来の機能を損ねることなく、ヒンジの破損を防止することができるプロテクタを提供することができる。
【図面の簡単な説明】
【００１８】
【図１】本発明の一実施の形態に係るプロテクタを示す斜視図である。
【図２】本発明の一実施の形態に係るプロテクタにおけるヒンジの断面図である。
【図３】本発明の一実施の形態に係るプロテクタの平面図である。
【図４】本発明の一実施の形態に係るプロテクタの一部拡大斜視図である。
【図５】本発明の一実施の形態に係る第１の係合部および第２の係合部の上面図である。
【図６】本発明の一実施の形態に係るカバーの閉動作時の様子を示す斜視図である。
【図７】本発明の一実施の形態に係るカバーの閉状態における第１の係合部および第２の係合部の斜視図である。
【図８】本発明の一実施の形態に係るカバーの閉状態における第１の係合部および第２の係合部の側面図である。
【発明を実施するための形態】
【００１９】
以下、本発明の一実施の形態に係るプロテクタについて、図面を参照して説明する。
【００２０】
本実施の形態では、本発明に係るプロテクタを、車両等に配策するワイヤーハーネスに外装されるワイヤーハーネス用のプロテクタに適用した例について説明する。
【００２１】
図１に示すように、本実施の形態に係るプロテクタ１は、プロテクタ本体２と、カバー３と、ヒンジ４とを含んで構成され、図示しないワイヤーハーネスを保護するようになっている。これらプロテクタ本体２とカバー３とヒンジ４とは、樹脂製の一体成形品であり、プロテクタ本体２とカバー３とは、ヒンジ４を介して連結されている。
【００２２】
プロテクタ本体２は、底面部に対して幅方向に一対の側面部を起立させた形状をなし、第１の底面部２１と、第２の底面部２２と、ヒンジ側側面部２３と、締結側側面部２４とを備えている。こうしたプロテクタ本体２には、図示しないワイヤーハーネスが収納されるようになっている。
【００２３】
第２の底面部２２は、第１の底面部２１に対して所定角度で傾斜した状態で第１の底面部２１と一体的に形成されている。ヒンジ側側面部２３および締結側側面部２４は、第１の底面部２１および第２の底面部２２の幅方向（図中、矢印Ａで示す方向）の両端で起立するよう形成され、かつ第１の底面部２１および第２の底面部２２の長さ方向（図中、矢印Ｂで示す方向）の全域に亘って延在している。
【００２４】
また、プロテクタ本体２には、ヒンジ側側面部２３の上端部と締結側側面部２４の上端部とによって、カバー３により閉塞される開口端２ａが形成されている。開口端２ａは、第２の底面部２２の傾斜に併せて所定角度で傾斜した部分と、第１の底面部２１に対応して平面状の部分とで構成されており、屈曲した形状をなしている。また、ヒンジ側側面部２３の長さ方向の一方の端部の上端部には、ヒンジ４が連結されている。
【００２５】
カバー３は、平面状の開口端２ａを閉塞する第１のカバー部３１と、傾斜した開口端２ａを閉塞する第２のカバー部３２と、第１のカバー部３１と第２のカバー部３２とを連結する連結部３３とを備えている。
【００２６】
第２のカバー部３２は、連結部３３を介して第１のカバー部３１に揺動可能に連結されている。したがって、カバー３がプロテクタ本体２の開口端２ａを閉塞する際には、カバー３を閉状態とした後に、第２のカバー部３２を揺動させることで傾斜した開口端２ａを閉塞することができる。また、第１のカバー部３１の幅方向（図中、矢印Ａで示す方向）の一方の端部、すなわちプロテクタ本体２との連結側の端部には、ヒンジ４が連結されている。
【００２７】
ヒンジ４は、プロテクタ本体２およびカバー３の長さ方向の一方の端部に設けられている。したがって、ヒンジ４は、プロテクタ本体２に対してカバー３を上記長さ方向（図中、矢印Ｂで示す方向）の一方の端部で開閉可能に連結するようになっている。より具体的には、ヒンジ４は、第１の底面部２１側のヒンジ側側面部２３の一部と第１のカバー部３１の一部とを連結するよう設けられている。
【００２８】
また、ヒンジ４は、図２に示すように、カバー側の端部４ａとプロテクタ本体側の端部４ｂとの間の中央部に、例えば端部４ａ、４ｂのヒンジ厚よりも薄いヒンジ厚の薄肉部４ｃが設けられている。薄肉部４は、ヒンジ４の長さ方向の全域に亘って設けられている。また、薄肉部４ｃは、特に幅方向（図中、矢印Ａで示す方向）の中央部が薄肉に形成されている。これにより、ヒンジ４は、プロテクタ本体２に対してカバー３を閉じる際に、薄肉部４ｃにおいて容易に折り曲げられるようになっている。
【００２９】
ここで、ヒンジ４は、上述したように薄肉部４ｃを有するため、例えば図３に示すように、開状態のカバー３に対して矢印Ｃ方向の負荷（外力）が加わると、薄肉部４ｃに応力が集中してしまう。特に、こうした応力の集中は、ヒンジ４の長さ方向の外力が加わる側のヒンジ端部４ｄに生ずる。こうした応力の集中が生ずると、ヒンジ４が破損してしまうおそれがある。
【００３０】
本実施の形態に係るプロテクタ１では、こうしたヒンジ４の破損を防止するために、カバー３の開状態におけるヒンジ４の強度を向上させる構成を設けた。
【００３１】
具体的には、図４、図５に示すように、プロテクタ本体２には、ヒンジ４よりも上述の長さ方向の他方の端部側（図３中、右側）の位置で開口端２ａからヒンジ４側に突出した第１の係合部５１が一体形成されている。第１の係合部５１は、先端が円形状に形成された、すなわち先端に円形部５１ａを有する雄部で構成されている。
【００３２】
また、カバー３には、カバー３の開状態（図１、図４、図５に示す状態）で上記第１の係合部５１に係合する第２の係合部５２が一体形成されている。第２の係合部５２は、雄部としての第１の係合部５１、詳しくは第１の係合部５１の円形部５１ａを取り囲むよう凹状に形成された雌部で構成されている。すなわち、第２の係合部５２は、円形部５１ａを取り囲む凹部５２ａを有する。
【００３３】
これら第１の係合部５１および第２の係合部５２は、カバー３の開閉方向と直交する方向、すなわち長さ方向（図１中、矢印Ｂで示す方向）で、ヒンジ４と所定間隔を隔てて隣り合うよう設けられている。換言すれば、第１の係合部５１および第２の係合部５２は、ヒンジ４のヒンジ端部４ｄに隣り合うよう設けられている。
【００３４】
第１の係合部５１および第２の係合部５２は、カバー３の開状態で互いに係合する、つまり円形部５１ａと凹部５２ａとが係合することで、ヒンジ４におけるカバー側の端部４ａとプロテクタ本体側の端部４ｂとが互いに離隔する方向に変位することを規制するようになっている。
【００３５】
また、図６に示すように、第１の係合部５１および第２の係合部５２は、プロテクタ本体２に対するカバー３の閉動作に伴い、互いの係合が外れるようになっている。これにより、図７、図８に示すように、プロテクタ本体２に対してカバー３が閉じられた場合には、第１の係合部５１と第２の係合部５２との係合が完全に解除されるようになっている。
【００３６】
また、第１の係合部５１と第２の係合部５２との間、すなわち円形部５１ａと凹部５２ａとの間には、所定のクリアランスＤ（図５参照）が形成されている。こうしたクリアランスＤを形成することで、プロテクタ本体２に対するカバー３の閉動作時において、第１の係合部５１と第２の係合部５２との干渉が回避されるようになっている。したがって、本実施の形態に係るプロテクタ１にあっては、カバー３の閉動作をスムースに行うことが可能となる。
【００３７】
さらに、図７に示すように、第２の係合部５２の一対の先端部５２ｂはいずれも、カバー３の閉動作時に作業者の手が触れた際の安全性を考慮して、所定の円弧形状（Ｒ形状）に形成されている。
【００３８】
次に、図５〜図７を参照して、本実施の形態に係るプロテクタ１の作用、特に第１の係合部５１および第２の係合部５２の作用について説明する。
【００３９】
図５に示すように、例えばカバー３の開状態でプロテクタ１を梱包する際や梱包から取り出す際には、第２の係合部５２の凹部５２ａに第１の係合部５１の円形部５１ａが係合した状態となっている。このとき、例えば開状態のカバー３に対して矢印Ｃ方向（図３参照）の負荷（外力）が加わった場合には、円形部５１ａが凹部５２ａの内周面に引っ掛かり、ヒンジ４におけるカバー側の端部４ａとプロテクタ本体側の端部４ｂとが互いに離隔する方向に変位することが規制される。これにより、ヒンジ４の薄肉部４ｃ（図２参照）の補強が図られる。
【００４０】
また、例えばプロテクタ１を実装する場合には、プロテクタ本体２に対するカバー３の閉動作に伴い円形部５１ａと凹部５２ａとが干渉することがないので、ヒンジ４を介して容易にプロテクタ本体２に対してカバー３を折り曲げ、閉状態とすることが可能となる。
【００４１】
以上のように、本実施の形態に係るプロテクタ１は、プロテクタ本体２に一体成形された第１の係合部５１とカバー３に一体成形された第２の係合部５２とが互いに係合することで、ヒンジ４におけるカバー側の端部４ａとプロテクタ本体側の端部４ｂとが互いに離隔する方向に変位することが規制される。このため、カバー３の開状態では、第１の係合部５１と第２の係合部５２とが係合することにより、ヒンジ４の薄肉部４ｃの強度を向上させることができる。
【００４２】
したがって、例えばプロテクタ１を梱包する際や梱包から取り出す際にプロテクタ本体２とカバー３とが互いに離隔する方向に負荷がかかっても、ヒンジ４の薄肉部４ｃに応力が集中することがなく、ヒンジ４の破損が防止される。
【００４３】
一方、本実施の形態に係るプロテクタ１は、カバー３の閉動作に伴い第１の係合部５１と第２の係合部５２との係合が外れるようになっているので、プロテクタ本体２に対してカバー３を折り曲げる際には折り曲げ易いというヒンジ本来の機能を発揮させることができる。
【００４４】
このように、本実施の形態に係るプロテクタ１は、折り曲げ易いというヒンジ本来の機能を損ねることなく、ヒンジ４の破損を防止することができる。
【００４５】
また、本実施の形態に係るプロテクタ１は、ヒンジ４がプロテクタ本体２およびカバー３の長さ方向のいずれか一方の端部に設けられることでプロテクタ本体２とカバー３とが互いに離隔する方向に負荷がかかり易い構成であっても、ヒンジ４の破損を防止することができる。
【００４６】
さらに、本実施の形態に係るプロテクタ１は、第１の係合部５１の円形部５１ａと第２の係合部５２の凹部５２ａとの間に所定のクリアランスＤが形成されているので、カバー３の閉状態では円形部５１ａと凹部５２ａとを係合させることができる一方で、カバー３の閉動作に伴い円形部５１ａと凹部５２ａとの係合を解除することができる。
【００４７】
なお、本実施の形態では、プロテクタ本体２に第１の係合部５１、カバー３に第２の係合部５２を一体成形したが、これとは逆にプロテクタ本体２に第２の係合部５２、カバー３に第１の係合部５１を一体成形してもよい。
【００４８】
また、第１の係合部５１および第２の係合部５２は、本実施の形態の形状に限らず、カバー３の開状態で係合し、カバー３の閉動作に伴い係合が外れる構成であればよく、種々の構成を採用できる。こうした構成としては、例えば第１の係合部５１および第２の係合部５２をいずれも上面側から見てＬ型形状とする場合等が挙げられる。
【００４９】
以上説明したように、本発明に係るプロテクタは、折り曲げ易いというヒンジ本来の機能を損ねることなく、ヒンジの破損を防止することができるという効果を有し、ワイヤーハーネスを保護するプロテクタ全般に有用である。
【符号の説明】
【００５０】
１  プロテクタ
２  プロテクタ本体
２ａ  開口端
３  カバー
４  ヒンジ
４ａ  カバー側の端部
４ｂ  プロテクタ本体側の端部
４ｃ  薄肉部
４ｄ  ヒンジ端部
５１  第１の係合部（雄部）
５１ａ  円形部
５２  第２の係合部（雌部）
５２ａ  凹部
５２ｂ  先端部
Ｄ  クリアランス
【図１】
2014212620.tif 000003
【図２】
2014212620.tif 000004
【図３】
2014212620.tif 000005
【図４】
2014212620.tif 000006
【図５】
2014212620.tif 000007
【図６】
2014212620.tif 000008
【図７】
2014212620.tif 000009
【図８】
2014212620.tif 000010